(57)【要約】【課題】泡がクリーミーであり、すすぎ時につるつるした感触が得られ、タオルドライ後の皮膚がなめらかな仕上がりとなる固形洗浄剤組成物の提供。【解決手段】（Ａ）下記一般式（１）で表される脂肪酸塩と、  （Ｂ）下記一般式（２）で表されるアシルイセチオン酸塩と、          ＲＣＯＯＭ・・・（１）          Ｒ’ＣＯＯＣＨ２ＣＨ２ＳＯ３Ｍ’・・・（２）（Ｒ及びＲ’はＣ５〜２１のアルキル基又はアルケニル基、Ｍ及びＭ’はアルカリ金属、アルカリ土類金属、アミン、及びアミノ酸から選択される少なくとも１つである）  （Ｃ）融点３０〜１００℃の固体脂と、を含み、  （Ａ）／（Ｂ）＝０．３〜３．０、ＲがＣ１５以下のアルキル基である飽和脂肪酸／ＲがＣ１７以上のアルケニル基である不飽和脂肪酸＝２．０〜７．５である固形洗浄剤組成物。【選択図】なし【特許請求の範囲】
【請求項１】
（Ａ）  下記一般式（１）で表される脂肪酸塩と、
ＲＣＯＯＭ・・・（１）
（式中、Ｒは炭素数５〜２１のアルキル基又はアルケニル基であり、Ｍはアルカリ金属、アルカリ土類金属、アミン、及びアミノ酸から選択される少なくとも１つである）
（Ｂ）  下記一般式（２）で表されるアシルイセチオン酸塩と、
Ｒ’ＣＯＯＣＨ２ＣＨ２ＳＯ３Ｍ’・・・（２）
（式中、Ｒ’は炭素数５〜２１のアルキル基又はアルケニル基であり、Ｍ’はアルカリ金属、アルカリ土類金属、アミン、及びアミノ酸から選択される少なくとも１つである）
（Ｃ）  融点３０〜１００℃のロウ、炭化水素、及びグリセリドから選択される少なくとも１つである固体脂と、を含み、
前記（Ａ）成分の含有量は、前記（Ｂ）成分に対する質量比で０．３〜３．０であり、
Ｒが炭素数１５以下のアルキル基である飽和脂肪酸の含有量は、Ｒが炭素数１７以上のアルケニル基である不飽和脂肪酸に対する質量比で２．０〜７．５であることを特徴とする固形洗浄剤組成物。
【請求項２】
（Ｃ）成分が、カルナバロウ、パラフィン、マイクロクリスタリンワックス及び部分水添ホホバ油から選択される少なくとも１つである請求項１記載の固形洗浄剤組成物。
【発明の詳細な説明】
【技術分野】
【０００１】
本発明は、泡がクリーミーで、すすぎ時につるつるした感触が得られ、タオルドライ後のなめらかさに優れる固形洗浄剤組成物に関するものである。
【背景技術】
【０００２】
従来、高級脂肪酸塩を基剤とする固形洗浄剤は、泡性能や使用感の良さが求められている。しかしながら、クリーミーな泡が得られないという問題や、すすぎ時及びタオルドライ後の感触が劣るという問題がある。
すすぎ時の感触を向上させる方法としては、例えば、高級脂肪酸塩を基剤とする固形洗浄剤に、アシルイセチオン酸塩、アルキル硫酸塩、スルホコハク酸塩を配合することが提案されている（特許文献１、２、３、及び４）
また、タオルドライ後の感触を向上させる方法としては、例えば、高級脂肪酸塩を基剤とする固形洗浄剤に、パラフィンロウ、マイクロクリスタリンワックスを配合することが提案されている（特許文献３、４、及び５）。
【０００３】
しかしながら、上記特許文献のいずれに記載の固形洗浄剤においても、泡性能、及びすすぎ時やタオルドライ後の感触の点で未だ満足できないという問題がある。
【特許文献１】特開平１０−１８３１７１号公報
【特許文献２】特開２０００−３０９８００号公報
【特許文献３】特表平０６−５０４７６４号公報
【特許文献４】特表平０６−５１１４８６号公報
【特許文献５】特開２００１−２２６６９８号公報
【発明の開示】
【発明が解決しようとする課題】
【０００４】
本発明は、従来技術における諸問題を解決し、以下の目的を達成することを課題とする。即ち、本発明は、泡がクリーミーであり、すすぎ時につるつるした感触が得られ、タオルドライ後の皮膚がなめらかな仕上がりとなる固形洗浄剤組成物を提供することを目的とする。
【課題を解決するための手段】
【０００５】
本発明は、本発明者等がこうした事情に鑑み、前記課題の解決に向けて鋭意検討を行った結果、固形洗浄剤の基剤である脂肪酸を特定し、アシルイセチオン酸塩と、融点が３０〜１００℃のロウ、炭化水素、又はグリセリドとを配合することにより、泡性能及び使用感が従来のものと比較して著しく改善されることを見出して完成したものであり、前記課題を解決するための手段は以下のとおりである。
【０００６】
＜１＞  （Ａ）  下記一般式（１）で表される脂肪酸塩と、
ＲＣＯＯＭ・・・（１）
（式中、Ｒは炭素数５〜２１のアルキル基又はアルケニル基であり、Ｍはアルカリ金属、アルカリ土類金属、アミン、及びアミノ酸から選択される少なくとも１つである）
（Ｂ）  下記一般式（２）で表されるアシルイセチオン酸塩と、
Ｒ’ＣＯＯＣＨ２ＣＨ２ＳＯ３Ｍ’・・・（２）
（式中、Ｒ’は炭素数５〜２１のアルキル基又はアルケニル基であり、Ｍ’はアルカリ金属、アルカリ土類金属、アミン、及びアミノ酸から選択される少なくとも１つである）
（Ｃ）  融点３０〜１００℃のロウ、炭化水素、及びグリセリドから選択される少なくとも１つである固体脂と、を含み、
前記（Ａ）成分の含有量は、前記（Ｂ）成分に対する質量比で０．３〜３．０であり、
Ｒが炭素数１５以下のアルキル基である飽和脂肪酸の含有量は、Ｒが炭素数１７以上のアルケニル基である不飽和脂肪酸に対する質量比で２．０〜７．５であることを特徴とする固形洗浄剤組成物である。
＜２＞  （Ｃ）成分が、カルナバロウ、パラフィン、マイクロクリスタリンワックス及び部分水添ホホバ油から選択される少なくとも１つである前記＜１＞記載の固形洗浄剤組成物である。
【発明の効果】
【０００７】
本発明によれば、従来技術における前記諸問題を解決することができ、基剤である脂肪酸塩を特定し、アシルイセチオン酸塩と、融点が３０〜１００℃のロウ、炭化水素、又はグリセリドとを配合することにより、泡がクリーミーであり、すすぎ時につるつるした感触が得られ、タオルドライ後の皮膚がなめらかな仕上がりとなる固形洗浄剤組成物を提供することができる。
【発明を実施するための最良の形態】
【０００８】
＜（Ａ）成分＞
本発明の固形洗浄剤組成物において、(Ａ)成分は、下記一般式（１）で表される脂肪酸塩である。
ＲＣＯＯＭ・・・（１）
（式中、Ｒは炭素数５〜２１のアルキル基又はアルケニル基であり、Ｍはアルカリ金属、アルカリ土類金属、アミン、及びアミノ酸から選択される少なくとも１つである）
本発明の固形洗浄剤組成物の（Ａ）成分である脂肪酸塩ＲＣＯＯＭにおいて、Ｒが炭素数１５以下のアルキル基である飽和脂肪酸の含有量は、Ｒが炭素数１７以上のアルケニル基である不飽和脂肪酸に対する質量比で２．０〜７．５であり、好ましくは３．０〜６．０、特に好ましくは３．０〜４．０である。７．５を超えると、泡のクリ−ミ性、タオルドライ後のなめらかさ、皮膚刺激の点で劣り、２．０未満では泡立ち、すすぎ時のつるつる感、保形性の点で好ましくない。
【０００９】
また、不飽和結合を有する脂肪酸は、脂肪酸総量に対し５〜３５質量％であることが好ましく、５〜２５質量％であることが更に好ましい。３５質量％を超えると、保形性が劣り、溶け崩れが生じるため好ましくない。一方、５質量％未満であると、固形洗浄剤を長期に使用した際にひび割れが生じるため好ましくない。
【００１０】
本発明の固形洗浄剤組成物において、（Ａ）成分のＭとしては、ナトリウム、カリウム等のアルカリ金属、アンモニア、モノエタノールアミン、ジエタノールアミン、トリエタノールアミン、２−アミノ−２−メチルプロパノール、２−アミノ−２−メチルプロパンジオール等のアミン類、リジン、アルギニン等の塩基性アミノ酸等が好ましく、ナトリウム、カリウム、トリエタノールアミンが泡性能の点で特に好ましい。これらが単独、もしくは混合して用いられる。
【００１１】
本発明の（Ａ）成分は、組成物中に必ずしも脂肪酸塩として配合する必要はなく、脂肪酸部の原料と、塩基とを単独で配合して処方系中で脂肪酸塩を形成させてもよい。
脂肪酸部の原料は、特に限定されるものではなく、油脂、脂肪酸、脂肪酸メチルエステル等のいずれを用いてもよい。
油脂としては、牛脂、豚脂に代表される動物性油脂、ヤシ油、パーム油、パーム核油、大豆油、オリーブ油等に代表される植物性油脂等を１種単独あるいは２種以上を適宜組み合わせて使用できる。
また、脂肪酸としては、カプロン酸、カプリル酸、カプリン酸、ラウリン酸、ミリスチン酸、パルミチン酸、ステアリン酸、オレイン酸、パルミトオレイン酸、リノール酸、リノレン酸、エライジン酸等の直鎖脂肪酸でもよいし、イソステアリン酸、２−エチルヘキシル酸、オクチルドデカン酸のような分岐鎖脂肪酸でもよく、これらの混合物でもよい。また、椰子油脂肪酸、パーム油脂肪酸、パーム核油脂肪酸、牛脂脂肪酸のような天然の混合物でもよいし、パーム油ステアリン脂肪酸やパーム油オレイン脂肪酸のような分離させたものでもよいし、硬化牛脂脂肪酸や水添パーム油脂肪酸のような水素添加して飽和度を上げたものでもよい。
【００１２】
上記天然脂肪酸の代表的な組成を表１に示す。但し、本発明に用いられる脂肪酸部の原料はこれに限定されるものではない。
【表１】
2008189872.tif 000002
Ｆ１：不飽和結合が１つ
Ｆ２：不飽和結合が２つ
【００１３】
本発明の固形洗浄剤組成部物において、（Ａ）成分の配合量は、２０〜６０質量％であることが好ましく、４０〜５０質量％であることが更に好ましい。
【００１４】
＜（Ｂ）成分＞
本発明の固形洗浄剤組成物において、(Ｂ)成分は、下記一般式（２）で表されるアシルイセチオン酸塩である。
Ｒ’ＣＯＯＣＨ２ＣＨ２ＳＯ３Ｍ’・・・（２）
（式中、Ｒ’は炭素数５〜２１のアルキル基又はアルケニル基であり、Ｍ’はアルカリ金属、アルカリ土類金属、アミン、及びアミノ酸から選択される少なくとも１つである。）
上記アシルイセチオン酸塩としては、具体的には、ココイルイセチオン酸ナトリウム、ラウロイルイセチオン酸ナトリウム、ミリストイルイセチオン酸ナトリウム、パルミトイルイセチオン酸ナトリウム等が挙げられる。好ましくは、ココイルイセチオン酸ナトリウム、ラウロイルイセチオン酸ナトリウムであり、更に好ましくはココイルイセチオン酸ナトリウムである。
【００１５】
本発明の固形洗浄剤組成部物において、（Ｂ）成分の配合量は、泡性能の点から２０〜６０質量％であることが好ましく、３０〜４０質量％であることが更に好ましい。２０質量％未満であると、すすぎ時のつるつる感の効果が不十分であり、６０質量％を超えると、すすぎ時にぬるつき感が生じたり、泡性能が劣ったりするため好ましくない。
前記（Ａ）成分の含有量は、前記（Ｂ）成分に対する質量比で０．３〜３．０であり、好ましくは１．０〜１．６である。０．３未満であると、すすぎ時にぬるつき感が生じたり、泡性能が劣ったりするため好ましくない。３．０を超えると、すすぎ時のつるつる感が不十分であるため好ましくない。
【００１６】
＜（Ｃ）成分＞
本発明の固形洗浄剤組成物において、(Ｃ)成分は、融点が３０〜１００℃のロウ、炭化水素、及びグリセリドから選択される少なくとも１つの固体脂である。融点は、化粧品原料基準・一般試験法の融点測定法（第３法）を準用して測定することができる（装置：自動マイクロワックス融点試験器、ＷＤＰ−１３４型（メイテック社製））。
ロウとしては、カルナバロウ、キャンデリラロウ、鯨ロウ、ミツロウ、水添ホホバ油等が挙げられ、炭化水素としては、セレシン、パラフィン、マイクロクリスタリンワックス、ワセリン等が挙げられ、グリセリドとしては、シアバター、カカオ脂、モクロウ、牛脂等が挙げられる。好ましくは、カルナバロウ、パラフィン、マイクロクリスタリンワックス及び部分水添ホホバ油である。
【００１７】
（Ｃ）成分の融点は、３０〜１００℃であり、好ましくは４５〜８５℃である。３０℃未満では泡立ちのよさ、タオルドライ後のなめらかさが不十分であり、１００℃を超えると、タオルドライ後のなめらかさの点で好ましくない。
本発明の固形洗浄剤組成部物において、（Ｃ）成分の配合量は、１〜２０質量％であることが好ましく、５〜１５質量％であることが更に好ましい。１質量％未満では、タオルドライ後のなめらかさが不十分であり、２０質量％を超えると、泡立ちのよさ、タオルドライ後のなめらかさの点で好ましくない。
【００１８】
本発明の固形洗浄剤組成物は、上記成分に加えて、更に、任意成分を本発明の効果を妨げない範囲で適宜配合することができる。上記任意成分としては、例えば、高級アルコール、脂肪酸エステル、シリコーン誘導体等の油性成分、ラノリン誘導体、蛋白誘導体、ビタミン等の薬剤、殺菌剤、防腐剤、ｐＨ調整剤、酸化防止剤、金属封鎖剤、紫外線吸収剤、動植物抽出物又はその誘導体、色素、顔料、無機粉体等が挙げられる。これら任意成分は、本発明の効果を妨げない範囲で、通常量配合することができる。
【００１９】
＜製造方法＞
本発明の固形洗浄剤組成物の製造方法としては、特に制限されるものではないが、例えば、以下に示す製造方法１又は２が挙げられる。
−製造方法１−
ニーダー内で各種脂肪酸を混合し、９０℃に加温して溶解させた後、４８％水酸化ナトリウムを加えながら撹拌し、脂肪酸を完全に中和し、（Ａ）成分とする。これに、必要に応じて、キレート剤、精製水を添加した後、均一に混合し、水分約３０質量％の石鹸糊を得る。
その後、熱交換器を通して１２０〜１４０℃まで温度を上昇させ、真空度を１００〜１４０ｍｍＨｇにコントロールした真空乾燥塔内に噴霧して水分約１０％とし、２軸式単段プロッダーを通してペレット状に加工し、これを石鹸素地とする。
この石鹸素地に、（Ｂ）成分、（Ｃ）成分、有効成分、着色剤、香料等を添加後、必要に応じて温度を調節した２軸式２段プロッダーにて混練したものを型打ちし、固形洗浄剤組成物を得る。
【００２０】
−製造方法２−
ニーダー内で各種脂肪酸を混合し、９０℃に加温して溶解させた後、４８％水酸化ナトリウムを加えながら撹拌し、脂肪酸を完全に中和し、（Ａ）成分とする。
これに、必要に応じて（Ｂ）成分、（Ｃ）成分、キレート剤、ポリオール、油分、有効成分、着色剤、香料、エタノール、精製水等を添加した後、均一に混合し、エタノール及び精製水を合計約３０質量％含む石鹸糊を得る。
その後、石鹸糊を筒等の型に流し込み、一定温度で水分約１０質量％程度になるまで乾燥させた後、型打ちし、固形洗浄剤組成物を得る。
【実施例】
【００２１】
以下、実施例を挙げて本発明をさらに詳しく説明する。本発明はこれらの実施例により限定されるものではない。配合量については特に断りのない限り質量％を示す。
初めに、本発明における評価方法について説明する。
【００２２】
［実施例１〜１２、比較例１〜９］
表２に示す脂肪酸組成からなる脂肪酸（１）〜（７）、及び表３及び４に示す構成からなる（Ｂ）成分、（Ｃ）成分を使用した。脂肪酸をニーダー内で混合し、９０℃に加温して溶解させた後、４８質量％水酸化ナトリウムを加えながら攪拌し、脂肪酸を完全に中和し、（Ａ）脂肪酸塩を得た（一般式（１）中、Ｍはナトリウム）。
これに、（Ｂ）成分、（Ｃ）成分を添加し、必要に応じて、脂肪酸、キレート剤、及び精製水を添加し、均一に混合して、水分約３０質量％の石鹸粉を得た。その後、熱交換器を通して１２０〜１４０℃まで温度を上昇させ、真空度を１００〜１４０ｍｇにコントロールした真空乾燥塔内噴霧して水分１０質量％まで乾燥し、２軸式単段プロッターを通してペレット状に加工し、これを石鹸素地とした。
この石鹸素地に、色素、香料、及びその他の成分を添加した後、温度を調整した２軸式２段プロッダーにて混練したものを型打ちにし、表３及び４に示す組成の固形洗浄剤組成物を得た。これらの固形洗浄剤組成物について、下記評価を行った。結果を表３及び４に併記する。
【００２３】
（評価方法）
１．泡のクリーミーさ
パネラー３０名が、各固形洗浄剤組成物を泡立て、泡のクリーミーさについて評価した。
◎：２５名以上が泡のクリーミーさが良好であると感じた。
○：２０〜２４名が泡のクリーミーさが良好であると感じた。
△：１５〜１９名が泡のクリーミーさが良好であると感じた。
×：１４名以下が泡のクリーミーさが良好であると感じた。
【００２４】
２．すすぎ時のつるつる感
パネラー３０名が、各固形洗浄剤組成物にて手を洗い、すすぎ時のつるつる感について評価した。
◎：２５名以上がすすぎ時のつるつる感が良好であると感じた。
○：２０〜２４名がすすぎ時のつるつる感が良好であると感じた。
△：１５〜１９名がすすぎ時のつるつる感が良好であると感じた。
×：１４名以下がすすぎ時のつるつる感が良好であると感じた。
【００２５】
３．タオルドライ後のなめらかさ
パネラー３０名が、各固形洗浄剤組成物にて手を洗い、タオルドライ後の皮膚のなめらかさについて評価した。
◎：２５名以上がタオルドライ後のなめらかさが良好であると感じた。
○：２０〜２４名がタオルドライ後のなめらかさが良好であると感じた。
△：１５〜１９名がタオルドライ後のなめらかさが良好であると感じた。
×：１４名以下がタオルドライ後のなめらかさが良好であると感じた。
【００２６】
表２に示す脂肪酸組成からなる（Ａ）成分の脂肪酸塩（１）〜（７）、（Ｂ）成分のアシルイセチオン酸塩、及び（Ｃ）成分の固体脂を使用して、表３及び４の組成に従って、各固形洗浄剤組成物を得た。これらの固形洗浄剤洗浄物について、泡のクリーミーさ、すすぎ時のつるつる感、タオルドライ後のなめらかさを上記評価方法に従って評価した。
【表２】
2008189872.tif 000003
【００２７】
【表３】
2008189872.tif 000004
【００２８】
【表４】
2008189872.tif 000005
＊１  エルファンＡＴ-８４Ｇ（ライオン社製）
＊２  Ｐａｒａｆｆｉｎ  Ｗａｘ−１１５（日本精蝋社製）：融点４７℃
＊３  カルナバ１号（日興リカ社製）                    ：融点８３℃
＊４  Ｈｉ−Ｍｉｃ−１０４５（日本精蝋社製）          ：融点７４℃
＊５  ホバクリームＭ−４０（香栄興業社製）            ：融点５０℃
＊６  ビオテルマＳＸ−１９＜Ｅ＞（一丸ファルコス社製）：融点３７℃
＊７  流動パラフィン（中央化成社製）
【００２９】
（Ａ）成分の脂肪酸塩と、（Ｂ）成分のアシルイセチオン酸塩と、（Ｃ）成分の融点３０〜１００℃の固体脂とを含み、（Ａ）／（Ｂ）＝０．３〜３．０、Ｒが炭素数１５以下のアルキル基である飽和脂肪酸／Ｒが炭素数１７以上のアルケニル基である不飽和脂肪酸＝２．０〜７．５である本発明の固形洗浄剤は、泡のクリーミー性、すすぎ時のつるつる感、タオルドライ後のなめらかさの全ての評価が良いことが確認された（実施例１〜１２）。
【００３０】
これに対し、（Ａ）／（Ｂ）が０．３未満であるもの（比較例８）、（Ａ）／（Ｂ）が３．０を超えるもの（比較例７）、Ｒが炭素数１５以下のアルキル基である飽和脂肪酸／Ｒが炭素数１７以上のアルケニル基である不飽和脂肪酸が２．０未満であるもの（比較例２，３，５）、Ｒが炭素数１５以下のアルキル基である飽和脂肪酸／Ｒが炭素数１７以上のアルケニル基である不飽和脂肪酸が７．５を超えるもの（比較例１）、（Ｂ）成分であるココイルイセチオン酸ナトリウムを含まないもの（比較例６）、（Ｃ）成分である固体脂を含まないもの（比較例９）、（Ｃ）成分の代わりに液体油（流動パラフィン）を含むもの（比較例４）においては、性能評価が劣った。
【００３１】
上述のように、本発明の固形洗浄剤は、いずれも良い評価が得られたが、中でも（Ｃ）成分として、融点が４５〜８５℃のロウ、炭化水素、及びグリセリドであるパラフィンワックス、カルナバロウ、マイクロクリスタリンワックス又は部分水添ホホバ油を使用した場合に、特に良い評価が得られた。
また、上記固体脂の含有量は、１〜２０質量％、特に５〜１５質量％が好ましいことが確認された。
【００３２】
（Ａ）成分である脂肪酸塩ＲＣＯＯＭにおいて、Ｒが炭素数１５以下のアルキル基である飽和脂肪酸の含有量は、Ｒが炭素数１７以上のアルケニル基である不飽和脂肪酸に対する質量比で２．０〜７．５、更に３．０〜６．０、特に３．０〜４．０であることが好ましいことが確認された。７．５を超えると、泡のクリ−ミ性、タオルドライ後のなめらかさが劣り、２．０未満では泡立ち、泡のクリーミー性、すすぎ時のつるつる感が劣った。
【００３３】
（Ａ）成分の含有量は、（Ｂ）成分に対する質量比で、０．３〜３．０、特に１．０〜１．６であることが好ましいことが確認された。
また、（Ｂ）成分の含有量は、２０〜６０質量％、特に３０〜４０質量％が好ましいことが確認された。